(57)【要約】      （修正有）【課題】汎用性を高めることができる受付カウンターテーブルを提供する。【解決手段】受付カウンターテーブル１０は、後面及び底面が開放された直方体状を成しており、直方体状の上面部分を構成する天板１２と、直方体状の前面部分及び両側面部分を構成するフレームとが組み合わされて構成され、フレームには、フレームの外側面を覆う複数枚のパネル１６Ａ〜１６Ｅが取り付けられている。パネル１６Ａ〜１６Ｅの各々は、外面に意匠４０が施され、フレームに対して着脱自在に取り付けられている。このため、受付カウンターテーブル１０は、催し物等のスタッフにより、パネル１６Ａ〜１６Ｅの交換が容易に行われ、例えば、利用される催し物等の内容に応じて、その催し物等の雰囲気に調和するような意匠４０が施されたパネル１６Ａ〜１６Ｅを、フレームに取り付けることができる。従って、利用可能な催し物等の種類が限定されず、受付カウンターテーブル１０の汎用性を高めることができる。【選択図】図１
0003211947.tif 000002
【実用新案登録請求の範囲】
【請求項１】
後面及び底面が開放された直方体状の受付カウンターテーブルであって、
上面を構成する天板と、前面及び両側面を構成するフレームとが組み合わされて構成され、
前記フレームに、該フレームの前面構成部の外側面及び両側面構成部の外側面の各々を覆う、外面に意匠が施された複数枚のパネルが、前記フレームに対して着脱自在に取り付けられていることを特徴とする受付カウンターテーブル。
【請求項２】
前記複数枚のパネルの各々の裏面に、該裏面から水平方向に張り出た張出部と、該張出部の先端から下方へ突出した突出部とから成る、少なくとも１つの掛止部材が設けられ、該掛止部材が、前記フレームに設けられた貫通窓内、或いは、前記フレームの上端に設けられた溝内に掛止される態様で、前記複数枚のパネルが前記フレームに対して取り付けられていることを特徴とする請求項１記載の受付カウンターテーブル。
【請求項３】
前記天板は、平面視で前記複数枚のパネルの各々の上端を覆う位置まで延在し、
前記複数枚のパネルの各々は、前記フレームに対して取り付けられた状態で、前記掛止部材の、前記張出部からの前記突出部の突出長さが、当該パネルの上端と前記天板の裏面との間の距離よりも大きいことを特徴とする請求項２記載の受付カウンターテーブル。
【請求項４】
前記複数枚のパネルは、前記フレームの前面構成部を覆う少なくとも２枚のパネルと、前記フレームの一方の側面構成部を覆う１枚のパネルと、前記フレームの他方の側面構成部を覆う１枚のパネルとを含むことを特徴とする請求項１から３のいずれか１項記載の受付カウンターテーブル。
【請求項５】
前記フレームは、前記前面構成部と前記両側面構成部とが平面視で直角を成す状態から平行な状態へと変形可能に、前記前面構成部と前記両側面構成部との間がヒンジ機構により接続されていることを特徴とする請求項１から４のいずれか１項記載の受付カウンターテーブル。
【請求項６】
前記天板は、前記フレームの上端に載置された状態で、ロック機構を介して前記フレームに固定されることを特徴とする請求項１から５のいずれか１項記載の受付カウンターテーブル。
【考案の詳細な説明】
【技術分野】
【０００１】
本考案は、催し物の会場等で用いられる受付カウンターテーブルに関するものである。
【背景技術】
【０００２】
受付カウンターテーブルは、様々な催し物の会場や企業等において利用され、その構造にも複数の種類が存在する（例えば、特許文献１参照）。一例として、平面視コ字状の脚部と天板とから成る構造の、後面及び底面が開放された直方体状の受付カウンターテーブルは、天板には、筆記等の作業が行われるという観点から、表面が滑らかな木板等が用いられ、脚部の外側面には、催し物や企業の雰囲気に調和した、柄や模様等の種々の意匠が施されることがある。
【先行技術文献】
【特許文献】
【０００３】
【特許文献１】特開２００６−６１５４９号公報
【考案の概要】
【考案が解決しようとする課題】
【０００４】
ここで、上述したような従来の受付カウンターテーブルは、脚部に施された意匠に応じて、使用できる催し物等の種類が限定されるため、汎用性が低いものであった。
本考案は上記課題に鑑みてなされたものであり、その目的とするところは、受付カウンターテーブルの汎用性を高めることにある。
【課題を解決するための手段】
【０００５】
（考案の態様）
以下の考案の態様は、本考案の構成を例示するものであり、本考案の多様な構成の理解を容易にするために、項別けして説明するものである。各項は、本考案の技術的範囲を限定するものではなく、考案を実施するための最良の形態を参酌しつつ、各項の構成要素の一部を置換し、削除し、又は、更に他の構成要素を付加したものについても、本願考案の技術的範囲に含まれ得るものである。
【０００６】
（１）後面及び底面が開放された直方体状の受付カウンターテーブルであって、上面を構成する天板と、前面及び両側面を構成するフレームとが組み合わされて構成され、前記フレームに、該フレームの前面構成部の外側面及び両側面構成部の外側面の各々を覆う、外面に意匠が施された複数枚のパネルが、前記フレームに対して着脱自在に取り付けられている受付カウンターテーブル（請求項１）。
【０００７】
本項に記載の受付カウンターテーブルは、後面及び底面が開放された直方体状を成しており、直方体状の上面部分を構成する天板と、直方体状の前面部分及び両側面部分を構成するフレームとが組み合わされて構成されている。すなわち、フレームは、平面視でコ字状を成し、天板を支える構造となる。又、フレームには、フレームの前面構成部の外側面と、フレームの両側面構成部の外側面とを覆う、複数枚のパネルが取り付けられている。これら複数枚のパネルの各々は、外面に意匠が施されており、パネルがフレームに取り付けられた状態で、フレームの前面構成部と両側面構成部との各々の外側面が、パネルに施された意匠によって装飾される。更に、複数枚のパネルは、工具不要の取り付け方法によって、フレームに対して着脱自在に取り付けられている。
【０００８】
上記のような構成により、本項に記載の受付カウンターテーブルは、催し物等のスタッフによって、パネルの交換が容易に行われる。これにより、例えば、利用される催し物等の内容に応じて、その催し物等の雰囲気に調和するような意匠が施されたパネルが、フレームに取り付けられることになる。このため、利用可能な催し物等の種類が限定されず、汎用性が高められる。更に、複数枚のパネルの各々に施される意匠は、パネル間で共通のものであってもよく、パネル毎に異なっていてもよい。これにより、複数種類の意匠、或いは、同一種類の意匠によって、受付カウンターテーブルの前面部分及び両側面部分が装飾されるため、受付カウンターテーブルの見栄えも向上される。なお、本項に記載の受付カウンターテーブルは、利用される催し物等の規模に応じて、横方向に複数台並べての使用も想定されるものである。
【０００９】
（２）上記（１）項において、前記複数枚のパネルの各々の裏面に、該裏面から水平方向に張り出た張出部と、該張出部の先端から下方へ突出した突出部とから成る、少なくとも１つの掛止部材が設けられ、該掛止部材が、前記フレームに設けられた貫通窓内、或いは、前記フレームの上端に設けられた溝内に掛止される態様で、前記複数枚のパネルが前記フレームに対して取り付けられている受付カウンターテーブル（請求項２）。
【００１０】
本項に記載の受付カウンターテーブルは、複数枚のパネルの各々の裏面、すなわち、意匠が施された面とは反対の面に、少なくとも１つの掛止部材が設けられている。この掛止部材は、各パネルの裏面から水平方向に張り出た張出部と、この張出部の先端から下方へ突出した突出部とから構成される。一方、フレームには、前面構成部及び両側面構成部の、夫々に取り付けられるパネルに設けられた掛止部材に対応する位置に、フレームの外面から内面までを貫通する貫通窓、及び／又は、フレームの上端の一部が切り欠かれるようにして形成された溝が設けられる。そして、複数枚のパネルの各々は、裏面に設けられた掛止部材が、フレームに設けられた貫通窓内、或いは、フレームの上端に設けられた溝内に掛止される態様で、フレームに対して取り付けられる。
【００１１】
すなわち、フレームに対して取り付けられる際、各パネルは、スタッフ等により持ち上げられた状態で、フレームの前面構成部又は両側面構成部の外面側から内面側に向けて、掛止部材がフレームの貫通窓又は溝を通された後、スタッフ等により放される。すると、掛止部材の張出部が、フレームの貫通窓の内縁部下方、或いは、フレームの溝部の底部に載置され、パネルの裏面と掛止部材の突出部とにより、フレームの部位を挟み込む状態になる。この状態では、パネルの上下方向の移動がパネルの自重により抑制され、パネルの前後方向（フレームの前面と直交する方向）の移動が、パネルの裏面と掛止部材の突出部とにより抑制され、パネルの左右方向（フレームの側面と直交する方向）の移動が、フレームの貫通窓や溝の内縁部側方によって抑制される。このように、本項に記載の受付カウンターテーブルは、工具不要の取り付け方法が利用されながらも、フレームに対して各パネルが安定して取り付けられるものである。
【００１２】
（３）上記（２）項において、前記天板は、平面視で前記複数枚のパネルの各々の上端を覆う位置まで延在し、前記複数枚のパネルの各々は、前記フレームに対して取り付けられた状態で、前記掛止部材の、前記張出部からの前記突出部の突出長さが、当該パネルの上端と前記天板の裏面との間の距離よりも大きい受付カウンターテーブル（請求項３）。
本項に記載の受付カウンターテーブルは、天板が、平面視で複数枚のパネルの各々の上端を覆う位置まで延在しているものであり、これにより、パネルの上端が視認され難くなるため、見栄えがより一層向上される。
【００１３】
更に、複数枚のパネルの各々は、フレームに対して取り付けられた状態で、掛止部材の、張出部からの突出部の突出長さが、パネルの上端と天板の裏面との間の距離よりも大きいものである。このため、フレームに天板が組み合わされている限り、パネルの掛止部材がフレームの貫通窓や溝から抜けるような高さ、すなわち、掛止部材の突出部の下端が貫通窓や溝の内縁部下方の位置より高くなるような高さまで、パネルが持ち上がることはない。従って、パネルが上方向に移動するような力が不本意に加わったとしても、フレームの貫通窓や溝からパネルの掛止部材が抜けることはなく、フレームからのパネルの脱落が防止される。なお、本項に記載の受付カウンターテーブルは、パネルの交換の際には、フレームから天板が取り外された状態で、パネルの取り外し作業や取り付け作業が行われることとなる。
【００１４】
（４）上記（１）から（３）項において、前記複数枚のパネルは、前記フレームの前面構成部を覆う少なくとも２枚のパネルと、前記フレームの一方の側面構成部を覆う１枚のパネルと、前記フレームの他方の側面構成部を覆う１枚のパネルとを含む受付カウンターテーブル（請求項４）。
本項に記載の受付カウンターテーブルは、フレームに取り付けられる複数枚のパネルとして、フレームの前面構成部を覆う少なくとも２枚のパネルと、フレームの一方の側面構成部を覆う１枚のパネルと、フレームの他方の側面構成部を覆う１枚のパネルとを含むものである。フレームの前面構成部を覆う少なくとも２枚パネルは、正面視で上下方向や左右方向に隣接して、パネル間に隙間なく取り付けられることが好ましい。すなわち、比較的人目に付き易いフレームの前面構成部に、少なくとも２枚のパネルを取り付けて異なる意匠を配置可能にし、比較的人目に付き難いフレームの側面構成部の各々に、一枚のパネルを取り付けて単一の意匠を配置する。このように、パネルの取り付け箇所毎に、目的に見合った必要最低限の枚数のパネルを取り付けることで、パネルの意匠により催し物等の雰囲気に調和した受付カウンターテーブルを提供しながらも、パネルの交換作業等の労力を低減するものである。
【００１５】
（５）上記（１）から（４）項において、前記フレームは、前記前面構成部と前記両側面構成部とが平面視で直角を成す状態から平行な状態へと変形可能に、前記前面構成部と前記両側面構成部との間がヒンジ機構により接続されている受付カウンターテーブル（請求項５）。
本項に記載の受付カウンターテーブルは、フレームの前面構成部と両側面構成部との間がヒンジ機構により接続されていることで、前面構成部と両側面構成部とが、平面視で直角を成す状態から平行な状態へと変形可能なものである。すなわち、フレームは、天板及び複数枚のパネルが取り外された状態で、前面構成部と両側面構成部とが平面視で平行になるように折り畳まれ、略板状になるものである。これにより、本項に記載の受付カウンターテーブルは、分解された状態において、天板、フレーム、パネルの全てが板状を成すこととなるため、収容スペースが削減されると共に、運搬等の作業が容易になるものである。
【００１６】
（６）上記（１）から（５）項において、前記天板は、前記フレームの上端に載置された状態で、ロック機構を介して前記フレームに固定される受付カウンターテーブル（請求項６）。
本項に記載の受付カウンターテーブルは、天板がロック機構を介してフレームに固定されていることで、フレームに対して天板を強固に固定するものである。更に、天板は、フレームの上端に載置された状態で、ロック機構によりフレームに固定されているため、ロック機構が解除されると、フレームから取り外し可能な状態になる。すなわち、本項に記載の受付カウンターテーブルは、パネルが着脱自在に取り付けられることに加えて、天板とフレームとの分解及び組立が手作業で行われる。これにより、催し物等のスタッフにより、受付カウンターテーブルの組立及び分解が、容易に行われるものとなる。
【考案の効果】
【００１７】
本考案は上記のような構成であるため、受付カウンターテーブルの汎用性を高めることが可能となる。
【図面の簡単な説明】
【００１８】
【図１】本考案の実施の形態に係る受付カウンターテーブルを前面側から示す斜視図である。
【図２】図１の受付カウンターテーブルから天板を取り外した状態を後面側から示す斜視図である。
【図３】天板の平面図である。
【図４】フレームとパネルとの一部の上下方向の断面図である。
【図５】図２の受付カウンターテーブルから更に前面側の１枚のパネルを取り外した状態を前面側から示す斜視図である。
【図６】本考案の実施の形態に係る受付カウンターテーブルの、パネルの掛止部材及びロック機構の周辺を示す断面図である。
【考案を実施するための形態】
【００１９】
以下、本考案を実施するための形態を、添付図面に基づき説明する。なお、図面の全体にわたって、同一部分又は対応する部分は、同一符号で示している。
図１は、本考案の実施の形態に係る受付カウンターテーブル１０を前面側から示しており、図２は、天板１２を取り外した状態の受付カウンターテーブル１０を後面側から示している。図示のように、受付カウンターテーブル１０は、後面と底面とが開放された直方体状を成しており、天板１２と、天板１２を支えるフレーム１４と、フレーム１４に取り付けられた複数枚のパネル１６（１６Ａ〜１６Ｆ）とで大略構成されている。以降の説明では、特に断り書きのない限り、直方体状を成す受付カウンターテーブル１０の、直方体状の上面と直交する方向を上下方向、直方体状の側面と直交する方向を左右方向、直方体状の前面と直交する方向を前後方向として説明する。
【００２０】
天板１２は、受付カウンターテーブル１０の上面部分を構成し、図３で確認できるように、平面視矩形の板状のものである。天板１２は、表面が滑らかに加工された木板等で構成され、その裏面１２ａ（図６参照）に、本実施例では４つのロック機構２０が取り付けられると共に、５つの位置出し用の穴２２が設けられている。なお、図３では、天板１２を透視してロック機構２０及び穴２２を破線で図示している。そして、天板１２は、フレーム１４の上端に設けられた位置出し用の突起３２（図２及び図５参照）が、位置出し用の穴２２に挿入されるように位置合わせされた状態で、図１に示すように、フレーム１４の上端に載置されている。この状態で、天板１２は、図６で確認できるように、平面視（図６の上方から視た状態）で、パネル１６の上端を覆う位置まで延在する。更に、詳しくは後述するが、天板１２は、ロック機構２０を介してフレーム１４に対して固定される。
【００２１】
フレーム１４は、図２に示すように、受付カウンターテーブル１０の前面部分を構成する前面構成部２４と、受付カウンターテーブル１０の両側面部分を構成する２つの側面構成部２６、２８とで構成され、平面視でコ字状を成している。前面構成部２４と側面構成部２６、２８との間は、ヒンジ機構３４により接続されている。より詳しくは、図４に示すように、前面構成部２４と側面構成部２６（２８）とは、平面視で直角を成す状態（図４に実線で示す状態）から、平面視で互いに平行になる状態（図４に仮想線で示す状態）へと変形するように、ヒンジ機構３４を介して接続されている。なお、フレーム１４のこのような変形は、前面構成部２４と側面構成部２６、２８とが平面視で直角を成す状態のフレーム１４の上端に、天板１２が取り付けられることで抑止される。
【００２２】
又、図２に示すように、フレーム１４には、複数の貫通窓３０が設けられており、本実施例では、前面構成部２４に８箇所、側面構成部２６、２８に３箇所ずつの、合計で１４箇所に貫通窓３０が設けられている。貫通窓３０の各々は、図５及び図６で確認できるように、フレーム１４の外面から内面までを貫通して設けられており、後述するように、フレーム１４に対してパネル１６を取り付けるために利用される。なお、このような貫通窓３０に代えて、フレーム１４の上端に、フレーム１４の外面から内面まで切り欠かれた溝が設けられていてもよい。
【００２３】
更に、図２に示すように、フレーム１４の下端には、受付カウンターテーブル１０を移動させる際に使用される車輪３６が、側面構成部２６、２８の夫々に２個ずつ取り付けられている。又、図２及び図５に示すように、フレーム１４の上端には、上述したように位置出し用の突起３２が５つ設けられており、これらの突起３２は、フレーム１４に対する天板１２の位置合わせに利用される。加えて、図６に示すように、フレーム１４は、フレーム１４を構成する角パイプ材３８の、フレーム１４に載置された天板１２のロック機構２０に対応する位置に、穴３８ａが形成されており、この穴３８ａにロック機構２０の作動ピン２０ａが挿入されることで、天板１２がフレーム１４に対して固定されるようになっている。なお、ロック機構２０は、図示しないボタンが押されることで解除される。
【００２４】
一方、複数枚のパネル１６は、図１及び図２に示すように、フレーム１４の前面構成部２４と側面構成部２６、２８との各々の外側面を覆うようにして、フレーム１４に取り付けられている。本実施例では、複数枚のパネル１６として、前面構成部２４に４枚のパネル１６Ｂ〜１６Ｅ、側面構成部２６、２８の夫々に１枚のパネル１６Ａ、１６Ｆの、合計で６枚のパネル１６Ａ〜１６Ｆが取り付けられている。６枚のパネル１６Ａ〜１６Ｆは、上下方向及び左右方向（パネルの上下方向と厚み方向とで規定される平面に直交する方向）の長さが、前面構成部２４に取り付けられる４枚のパネル１６Ｂ〜１６Ｅ同士で等しく、側面構成部２６、２８の夫々に取り付けられるパネル１６Ａ、１６Ｆ同士で等しくなっている。すなわち、本実施例では、２種類の大きさのパネル１６が使用されており、大きさが同じパネル１６同士であれば、配置の交換や、ストックされている別のパネル１６との交換が可能になっている。
【００２５】
又、パネル１６の各々には、フレーム１４に取り付けられた状態で外側となる面に、布地の貼り付け等による意匠４０が施されている。意匠４０には、様々な模様、柄、配色のものが使用可能である。又、６枚のパネル１６に施されている意匠４０は、パネル１６間で同一のものが含まれていてもよく、異なる種類のものが含まれていてもよい。更に、１枚のパネル１６に、複数種類の意匠４０が施されていてもよい。例えば、図１の例では、側面構成部２６、２８に取り付けられるパネル１６Ａと１６Ｆとに同じ意匠４０が施され、これら２枚のパネル１６Ａ、１６Ｆと、前面構成部２４に取り付けられる４枚のパネル１６Ｂ〜１６Ｅの夫々とに、互いに異なる意匠４０が施されている。又、パネル１６Ｄには、２種類の意匠４０が施されている。
【００２６】
更に、各パネル１６の、意匠４０が施された面と反対の裏面１６ａ（図２、図６参照）には、掛止部材４２が設けられている。本実施例では、前面構成部２４に取り付けられるパネル１６Ｂ〜１６Ｅの各々の裏面１６ａに、２つの掛止部材４２が設けられ、側面構成部２６、２８に取り付けられるパネル１６Ａ、１６Ｆの各々の裏面１６ａに、４つの掛止部材４２が設けられている。掛止部材４２の各々は、図６で確認できるように、パネル１６の裏面１６ａから水平方向に張り出た張出部４４と、張出部４４の先端から下方へ突出した突出部４６とで構成されている。このような構造のパネル１６は、掛止部材４２の各々が、フレーム１４の対応する位置に設けられた貫通窓３０の各々に掛止されることによって、フレーム１４に取り付けられている。
【００２７】
ここで、パネル１６は、図５に示すように貫通窓３０が露出したフレーム１４の外側面に対して、掛止部材４２が設けられたパネル１６の裏面１６ａが接近させられた後、掛止部材４２が貫通窓３０に挿入されて、貫通窓３０に掛止部材４２が掛止される。そして、全てのパネル１６がフレーム１４に取り付けられた後、フレーム１４に天板１２が組み合わされる。パネル１６は、掛止部材４２が貫通窓３０に掛止されると、図６に示すように、掛止部材４２の張出部４４が貫通窓３０の内縁部下方３０ａに載置され、パネル１６の裏面１６ａと掛止部材４２の突出部４６とで、フレーム１４の部位を挟み込む態様となる。このとき、パネル１６の上端と天板１２の裏面１２ａとの間の距離ｄ２は、掛止部材４２の張出部４４からの突出部４６の突出長さｄ１よりも小さくなっている。このようにしてフレーム１４に取り付けられているパネル１６の各々は、工具が用いられることなく、取り付けや取り外しが行われる。なお、図２で確認できるフレーム１４に設けられた複数の貫通窓３０のうち、上方に設けられた大きさが小さい８つの貫通窓３０は、各貫通窓３０に掛止される掛止部材４２よりも、僅かに大きい左右方向の幅を有している。
【００２８】
又、フレーム１４に取り付けられた状態において、正面視で前面構成部２４の最も右側に取り付けられたパネル１６Ｂは、図４で確認できるように、側面構成部２６の図中下側の側端と、側面構成部２６に取り付けられたパネル１６Ａの図中下側の側端とを覆う位置まで、図中右方向に延在している。このような位置関係は、正面視で前面構成部２４の最も左側に取り付けられるパネル１６Ｅと、側面構成部２８及びそこに取り付けられるパネル１６Ｆとにおいても同様である。なお、上述したように、貫通窓３０に代えて、フレーム１４の上端に溝が設けられる場合は、この溝にパネル１６の掛止部材４２が掛止され、掛止部材４２の張出部４４が溝の底部に載置されることになる。又、図２に示されているように、前面構成部２４の下方に設けられている４つの貫通窓３０は、夫々の間が縦材５０によって仕切られており、これらの縦材５０は、パネル１６間の隙間と、パネル１６に施された意匠４０の布地等の端部とが視認されないように、目隠しの役割を果たすものである。
【００２９】
ここで、図１の実施例の受付カウンターテーブル１０は、フレーム１４の前面構成部２４に取り付けられるパネル１６が、左右方向に隣接して配置されているが、上下方向に隣接するように配置されていてもよく、上下左右に隣接するように配置されていてもよい。又、前面構成部２４に取り付けられるパネル１６の枚数も４枚に限定されるものではなく、３枚以下或いは５枚以上のパネル１６が取り付けられていてもよい。更に、このようなパネル１６の枚数や配置については、フレーム１４の側面構成部２６、２８についても同様である。又、パネル１６の裏面１６ａに設けられる掛止部材４２の数量、形状、設置位置は、上述した実施例と異なるものであってもよい。更に、フレーム１４に対する各パネル１６の取り付け方法も、上述した実施例の方法に限定されるものではなく、工具不要で着脱自在な他の取り付け方法であれば、例えば、面ファスナーを利用した方法等であってもよい。
【００３０】
さて、上記構成をなす本考案の実施の形態によれば、次のような作用効果を得ることが可能である。すなわち、本考案の実施の形態に係る受付カウンターテーブル１０は、図１及び図２に示すように、後面及び底面が開放された直方体状を成しており、直方体状の上面部分を構成する天板１２と、直方体状の前面部分及び両側面部分を構成するフレーム１４とが組み合わされて構成されている。すなわち、フレーム１４は、平面視でコ字状を成し、天板１２を支える構造となる。又、フレーム１４には、フレーム１４の前面構成部２４の外側面と、フレーム１４の両側面構成部２６、２８の外側面とを覆う、複数枚のパネル１６（１６Ａ〜１６Ｆ）が取り付けられている。これら複数枚のパネル１６の各々は、外面に意匠４０が施されており、パネル１６がフレーム１４に取り付けられた状態で、フレーム１４の前面構成部２４と両側面構成部２６、２８との各々の外側面が、パネル１６に施された意匠４０によって装飾される。更に、複数枚のパネル１６は、工具不要の取り付け方法によって、フレーム１４に対して着脱自在に取り付けられている。
【００３１】
上記のような構成により、本考案の実施の形態に係る受付カウンターテーブル１０は、催し物等のスタッフによって、パネル１６の交換を容易に行うことができる。これにより、例えば、利用される催し物等の内容に応じて、その催し物等の雰囲気に調和するような意匠４０が施されたパネル１６を、フレーム１４に取り付けることができる。このため、利用可能な催し物等の種類が限定されず、受付カウンターテーブル１０の汎用性を高めることが可能となる。更に、複数枚のパネル１６の各々に施される意匠４０は、パネル１６間で共通のものであってもよく、パネル１６毎に異なっていてもよい。これにより、複数種類の意匠４０、或いは、同一種類の意匠４０によって、受付カウンターテーブル１０の前面部分及び両側面部分を装飾することができるため、受付カウンターテーブル１０の見栄えも向上することができる。なお、本考案の実施の形態に係る受付カウンターテーブル１０は、利用される催し物等の規模に応じて、横方向に複数台並べて使用することも可能である。
【００３２】
又、本考案の実施の形態に係る受付カウンターテーブル１０は、図２及び図６に示すように、複数枚のパネル１６の各々の裏面１６ａ、すなわち、意匠４０が施された面とは反対の面に、少なくとも１つの掛止部材４２が設けられている。図２の例では、パネル１６Ａ、１６Ｆの各々に４つの掛止部材４２が設けられ、パネル１６Ｂ〜１６Ｅの各々に２つの掛止部材４２が設けられている。これらの掛止部材４２の各々は、各パネル１６の裏面１６ａから水平方向に張り出た張出部４４と、この張出部４４の先端から下方へ突出した突出部４６とから構成される。一方、フレーム１４には、前面構成部２４及び両側面構成部２６、２８の、夫々に取り付けられるパネル１６に設けられた掛止部材４２に対応する位置に、フレーム１４の外面から内面までを貫通する貫通窓３０が設けられる。そして、複数枚のパネル１６の各々は、裏面１６ａに設けられた掛止部材４２が、フレーム１４に設けられた貫通窓３０内に掛止される態様で、フレーム１４に対して取り付けられる。
【００３３】
すなわち、フレーム１４に対して取り付けられる際、各パネル１６は、スタッフ等により持ち上げられた状態で、フレーム１４の前面構成部２４又は両側面構成部２６、２８の外面側から内面側（図５の右手前側から左奥側）に向けて、掛止部材４２がフレーム１４の貫通窓３０を通された後、スタッフ等により放される。すると、掛止部材４２の張出部４４が、フレーム１４の貫通窓３０の内縁部下方３０ａに載置され、パネル１６の裏面１６ａと掛止部材４２の突出部４６とにより、フレーム１４の部位を挟み込む状態になる。この状態では、パネル１６の上下方向の移動がパネル１６の自重により抑制され、パネル１６の前後方向の移動が、パネル１６の裏面１６ａと掛止部材４２の突出部４６とにより抑制され、パネル１６の左右方向の移動が、フレーム１４の貫通窓３０の内縁部側方によって抑制される。このように、本考案の実施の形態に係る受付カウンターテーブル１０は、工具不要の取り付け方法を利用しながらも、フレーム１４に対して各パネル１６を安定して取り付けることができる。
【００３４】
又、本考案の実施の形態に係る受付カウンターテーブル１０は、図６に示すように、天板１２が、平面視で複数枚のパネル１６の各々の上端を覆う位置まで延在していることで、パネル１６の上端が視認され難くなるため、見栄えをより一層向上することができる。更に、複数枚のパネル１６の各々は、フレーム１４に対して取り付けられた状態で、掛止部材４２の、張出部４４からの突出部４６の突出長さｄ１が、パネル１６の上端と天板１２の裏面１２ａとの間の距離ｄ２よりも大きいものである。このため、フレーム１４に天板１２が組み合わされている限り、パネル１６の掛止部材４２がフレーム１４の貫通窓３０から抜けるような高さ、すなわち、掛止部材４２の突出部４６の下端が貫通窓３０の内縁部下方３０ａの位置より高くなるような高さまで、パネル１６が持ち上がることはない。従って、パネル１６が上方向に移動するような力が不本意に加わったとしても、フレーム１４の貫通窓３０からパネル１６の掛止部材４２が抜けることはなく、フレーム１４からのパネル１６の脱落を防止することができる。なお、このような構成の受付カウンターテーブル１０は、パネル１６の交換の際には、フレーム１４から天板１２を取り外した状態で、パネル１６の取り外し作業や取り付け作業を行えばよい。
【００３５】
更に、本考案の実施の形態に係る受付カウンターテーブル１０は、フレーム１４に取り付けられる複数枚のパネル１６として、フレーム１４の前面構成部２４を覆う少なくとも２枚のパネル１６、図１及び図２の例では４枚のパネル１６Ｂ〜１６Ｅと、フレーム１４の一方の側面構成部２６を覆う１枚のパネル１６Ａと、フレーム１４の他方の側面構成部２８を覆う１枚のパネル１６Ｆとを含むものである。フレーム１４の前面構成部２４を覆う４枚パネル１６Ｂ〜１６Ｅは、正面視で上下方向や左右方向（図示の例では左右方向）に隣接して、パネル１６間に隙間なく取り付けられる。すなわち、比較的人目に付き易いフレーム１４の前面構成部２４に、４枚のパネル１６Ｂ〜１６Ｅを取り付けて異なる意匠４０を配置可能にし、比較的人目に付き難いフレーム１４の側面構成部２６、２８の各々に、一枚のパネル１６Ａ、１６Ｆを取り付けて単一の意匠４０を配置する。このように、パネル１６の取り付け箇所毎に、目的に見合った必要最低限の枚数のパネル１６を取り付けることで、パネル１６の意匠４０により催し物等の雰囲気に調和した受付カウンターテーブル１０を提供しながらも、パネル１６の交換作業等の労力を低減することができる。
【００３６】
又、本考案の実施の形態に係る受付カウンターテーブル１０は、図２及び図４で確認できるように、フレーム１４の前面構成部２４と両側面構成部２６、２８との間がヒンジ機構３４により接続されていることで、前面構成部２４と両側面構成部２６、２８とが、平面視で直角を成す状態（図４の実線の状態）から平行な状態（図４の仮想線の状態）へと変形可能なものである。すなわち、フレーム１４は、天板１２及び複数枚のパネル１６が取り外された状態で、前面構成部２４と両側面構成部２６、２８とが平面視で平行になるように折り畳まれ、略板状になるものである。これにより、受付カウンターテーブル１０は、分解された状態において、天板１２、フレーム１４、パネル１６の全てが板状を成すこととなるため、収容スペースを削減することができると共に、運搬等の作業を容易にすることが可能となる。
【００３７】
加えて、本考案の実施の形態に係る受付カウンターテーブル１０は、図６に示すように、天板１２がロック機構２０を介してフレーム１４に固定されていることで、フレーム１４に対して天板１２を強固に固定するものである。更に、天板１２は、フレーム１４の上端に載置された状態で、ロック機構２０によりフレーム１４に固定されているため、ロック機構２０が解除されると、フレーム１４から取り外し可能な状態になる。すなわち、本考案の実施の形態に係る受付カウンターテーブル１０は、パネル１６を着脱自在に取り付けることに加えて、天板１２とフレーム１４との分解及び組立を手作業で行うことができる。これにより、催し物等のスタッフによって、受付カウンターテーブル１０の組立及び分解を、容易に行うことが可能となる。
【符号の説明】
【００３８】
１０：受付カウンターテーブル、１２：天板、１２ａ：天板の裏面、１４：フレーム、１６（１６Ａ〜１６Ｆ）：パネル、１６ａ：パネルの裏面、２０：ロック機構、２４：前面構成部、２６、２８：側面構成部、３０：貫通窓、３４：ヒンジ機構、４０：意匠、４２：掛止部材、４４：張出部、４６：突出部、ｄ１：突出部の突出長さ、ｄ２：パネルの上端と天板の裏面との間の距離
【図１】
0003211947.tif 000003
【図２】
0003211947.tif 000004
【図３】
0003211947.tif 000005
【図４】
0003211947.tif 000006
【図５】
0003211947.tif 000007
【図６】
0003211947.tif 000008